(57)【要約】      （修正有）【課題】水銀灯ホルダーを転用することができる角度固定自在の扁平形照明装置を提供する。【解決手段】照明装置は、連結装置２０と光源モジュール３０とを備える。光源モジュールは連結装置に接続され、連結装置がランプホルダーに取り付けられる。光源モジュールの最大幅は、ランプホルダーの深さの２倍以上より大きく、最小幅はランプホルダーの幅より小さい。【選択図】図１
0003177908.tif 000002
【実用新案登録請求の範囲】
【請求項１】
角度固定自在の扁平形照明装置であって、
電気コネクタと、第１接続端と、を有し、前記電気コネクタはランプホルダーと電気導通を形成し、前記第１接続端は前記電気コネクタに接続して電気導通を形成する連結装置と、
ＬＥＤ灯を光源として使用し光線を出射する、前記連結装置に接続され、第２接続端を有し、前記第２接続端は前記連結装置の前記第１接続端に接続する、前記連結装置をランプホルダーに取り付けられ、碗状の前記ランプホルダーに収容することができる、最大幅を有し、前記最大幅は前記ランプホルダー深さの２倍以上より大きく、最小幅は前記ランプホルダーの幅より小さい光源モジュールと、を備える。
【請求項２】
前記光源モジュールは厚さを有し、前記光源モジュールの厚さは前記ランプホルダーの深さより小さいため、前記光源モジュールの最大幅は厚さの２倍以上大きいことを特徴とする、請求項１記載の角度固定自在の扁平形照明装置。
【請求項３】
前記最大幅は前記光源モジュール両側の距離に等しく、前記厚さは前記光源モジュール両側の距離に等しく、前記厚さは前記光源モジュールがマスク反対の一側から前記連結装置の前記電気コネクタ心軸までの距離に等しく、前記深さは前記ランプシェードから口金ねじ部心軸までの距離に等しい、よって、前記電気コネクタを前記ランプホルダーに接続された後、前記光源モジュールの内部にて３６０度回転することができないことを特徴とする、請求項２記載の角度固定自在の扁平形照明装置。
【請求項４】
前記連結装置は取付リングを含み、前記取付リングは第１接続部を設けられ、前記光源モジュールは第２接続部を設けられ、前記第１接続部と前記第２接続部とを締め付けることにより、前記連結装置と前記光源モジュールを接続することを特徴とする、請求項２記載の角度固定自在の扁平形照明装置。
【請求項５】
前記連結装置はヘッドを有し、前記ヘッドは第１端と第２端と、を有する、前記電気コネクタは前記ヘッドの前記第１端に位置し、前記ヘッドの前記第２端は収容ヘッド部を形成され、前記収容ヘッド部は第１直径を有する、前記光源モジュールはベースを有し、前記ベースの中心部に貫通穴を貫き、前記第２接続部は前記ベースの一側に設けられ、前記貫通穴は前記第２接続部の中心部に位置し、前記第２接続部は第３直径を有し、前記第１直径は前記第３直径より小さい、前記ベースは前記第２接続部にて収容溝を形成され、前記収容溝によって、前記収容ヘッド部を収容することを特徴とする、請求項４記載の角度固定自在の扁平形照明装置。
【請求項６】
前記ヘッドに備える前記収容ヘッド部が前記電気コネクタ付近部に第１固定部を設けられ、前記取付リングは貫通穴と、第２固定部とを設けられ、前記貫通穴は前記電気コネクタの一端を貫き、前記貫通穴は第２直径を有し、前記第２直径は前記第１直径より小さい、前記第１接続部と前記第２接続部を接続したとき、前記第２固定部は前記第１固定部に当てることを特徴とする、請求項５記載の角度固定自在の扁平形照明装置。
【請求項７】
前記光源モジュールは発光コンポーネントを有し、前記発光コンポーネントは前記ベースが前記第２接続部の反対側に設けられ、前記第２接続端は前記発光コンポーネントに接続され、前記第２接続端は前記ベースに備える前記貫通穴を貫いて、前記ヘッドの前記第１接続端に接続することを特徴とする、請求項５記載の角度固定自在の扁平形照明装置。
【請求項８】
前記ヘッドの内部に収容空間を形成し、開口部は収容ヘッド部向きに形成する、接続していた前記第１接続端と前記第２接続端を前記収容空間に収容することを特徴とする、請求項５記載の角度固定自在の扁平形照明装置。
【請求項９】
前記ベースの縁部は６つの第１接続穴と、２つの第２接続穴を穿設され、前記光源モジュールはマスクを設けられ、前記発光コンポーネントは６つの第３接続穴を設けられ、前記マスクは２つの第４接続穴を設けられ、前記ベースに備える６つの第１接続穴が前記発光コンポーネントに備える６つの前記第３接続穴に対応され、前記第１接続穴と前記第３接続穴との間は固定具により接続することによって、前記発光コンポーネントを前記ベースが前記第２接続部の遠端に固定される、前記ベースに備える２つの前記第２接続穴が前記マスクに備える２つの前記第４接続穴に対応し、前記第２接続穴と前記第４接続穴との間は前記固定具により接続して、前記マスクを前記発光コンポーネントの一側に固定することを特徴とする、請求項７記載の角度固定自在の扁平形照明装置。
【請求項１０】
前記電気コネクタと前記第１接続端との間と、前記第１接続端と前記第２接続端との間はコードによって可とう状により接続することを特徴とする、請求項１記載の角度固定自在の扁平形照明装置。
【考案の詳細な説明】
【技術分野】
【０００１】
本考案は主に角度固定自在の扁平形照明装置に関し、特に組立のとき複数の部分に分けて組み合わせることができ、照明装置とランプシェードが互いに干渉しない、角度固定自在の扁平形照明装置に関する。
【背景技術】
【０００２】
公知の大範囲照明のほとんどは水銀灯が使用されている。しかし、一般の水銀灯具は電気消費大、発光効率低いうえに使用寿命が短いため、使用コストは高く、環境保護の流れにそぐわない。一方、他種の灯具に置き換える場合は、元の水銀灯具につけていたランプホルダーも併せて置き換える必要がある。このように、水銀灯具とランプホルダーを合わせて交換に掛かるコストがさらに高くつく、環境保護にそぐわないほか、組み立てに困難がある。さらに、従来の水銀灯具を回収されたあとは再利用することができなく、廃棄処分しかない。資源そのものが浪費される。
【先行技術文献】
【特許文献】
【０００３】
【特許文献１】台湾特許第Ｍ３８３０９７号
【考案の概要】
【考案が解決しようとする課題】
【０００４】
従来の水銀灯具は締め付け方式により、水銀灯をランプホルダーに締めつけられている。従来の水銀灯ランプホルダーにＬＥＤ灯を取り付けるときはＬＥＤ灯に方向性があるため、取り付け工事においてＬＥＤ灯の照射角度を正しく調節して置かないと、ＬＥＤ灯に備えるべき効果を発揮できない。しかし、ＬＥＤの照射角度を正しく調整するには、繰り返して組立直さなければならないため人的資源が浪費される。
【０００５】
台湾特許第Ｍ３８３０９７号調節形灯源（特許文献１）より、照射角度調節可能なＬＥＤ灯具が開示されている。前述特許は公知灯具の照射角度が改変できないことから、取り付け困難または照明効果が良くないことの改善になされたものである。
【０００６】
しかし、前述考案には灯具の輝度が弱すぎる課題がなお残る。前述考案の灯具は各コンポーネントを組み合わせた後、灯具全体をランプホルダーに締めつける。したがって、灯具内部の電球が多いほど灯具の体積も大きくなる。さらに、ランプホルダーの形状及びＬＥＤ灯具が持つ方向性問題を抱えており、灯具内部に電球数の増設にはフラットまたはフラットに近い方式の配置方法にしなければ、ＬＥＤ灯は最大効果を発揮できない。しかし、この種の方法を使用すると、ＬＥＤ灯がよりフラット形状になり、灯具を締めつけるときは、ランプシェードに干渉する恐れがある。一方、前述考案において、照射角度は３６０度調整可能でありながら、灯具の内部にコードが接続されている。しかし、前述考案はコードの接続方式について特別な設計はなく、灯具の角度を調整するときにコードが引っ張られる恐れがあり、さらに、照射角度を経常的に調整することによって、コードが疲労しによる壊れ、脱落または傷つくことがある。
【課題を解決するための手段】
【０００７】
本考案による角度固定自在の扁平形照明装置の主な目的は、複数部位に分けることができる組立構造のＬＥＤ灯連結装置を提供し、灯具をランプホルダーに締めつけるとき、光源モジュールがヘッドと合わせて回転してランプホルダーに取り付ける必要ないため、光源モジュールの取り付け及び取り外すときは、ランプホルダーとの干渉が起きない。これにより、電球数が多く、高輝度かつ体積が比較的大きい光源モジュールを使用しても光源モジュールをランプホルダー内部にて回転できなくても、ランプホルダーの内部にしっかり取り付けて照明を提供することができる。
【０００８】
本考案による角度固定自在の扁平形照明装置もう一つの目的は、組立式の電気接続方式を提供し、各部品同士を完全に分離できるため、ＬＥＤランプホルダーの取付作業に光源モジュールとＬＥＤランプホルダーとの間にコードが接続ないため、コードが取り付け作業で引っ張られ、巻きつくまた絡みつくことを発生しない。
【考案の効果】
【０００９】
以下の説明内容から、本考案は以下の長所をまとめることができる。
【００１０】
イ、本考案による角度固定自在の扁平形照明装置の連結装置と光源モジュールは、別々組合せ方式により、光源モジュールを製造するときに、取付作業でランプホルダーとの緩衝問題を考慮必要はなく、光源モジュールのサイズを小さくするため、ＬＥＤ灯の数を減らして光源モジュール輝度の低下を心配必要はない。本考案によれば、光源モジュールは最後に取り付けられるため、ヘッドまたは取付リングと合わせて、回転してねじの締めつけでなく、よって、緩衝問題が発生しない。このため、ランプホルダーの内部に輝度の高い、かつフラット状の光源モジュールを取り付けられる。さらに、取付作業中に光源モジュールの照射角度を調整できる。
【００１１】
ロ、本考案による角度固定自在の扁平形照明装置の光源モジュールと連結装置との間の電気接続は組立式による。よって、光源モジュールと連結装置を完全に分離できる。連結装置の取付作業中において、光源モジュールと連結装置との間にコードの接続はない、光源モジュールと連結装置とのコード結線の曲がりや絡めの心配はない。
【００１２】
ハ、本考案による角度固定自在の扁平形照明装置は、取付リングを緩めることで光源モジュールを連結装置から抜け出すことができる。光源モジュールに触れることなく、直接に光源モジュールを交換できる。さらに、光源モジュールが使用の高温により壊れたときでも、素手で光源モジュールの交換作業ができる。
【図面の簡単な説明】
【００１３】
【図１】本考案による角度固定自在の扁平形照明装置の立体外観図である。
【図２】本考案による角度固定自在の扁平形照明装置の立体分解図である。
【図３】本考案による角度固定自在の扁平形照明装置の組合せ概略図（その１）である。
【図４】本考案による角度固定自在の扁平形照明装置の組合せ概略図（その２）である。
【図５】本考案による角度固定自在の扁平形照明装置の組合せ概略図（その３）である。
【図６】本考案による角度固定自在の扁平形照明装置の組合せ概略図（その４）である。
【図７】本考案による角度固定自在の扁平形照明装置の組合せ概略図（その５）である。
【図８】本考案による角度固定自在の扁平形照明装置の組合せ概略図（その６）である。
【考案を実施するための形態】
【実施例】
【００１４】
図１と図２を参照する。本考案の照明装置１０は連結装置２０と、光源モジュール３０と、を備える。
【００１５】
そのうち、連結装置２０はヘッド２１と、取付リング２２と、を有する。ヘッド２１は階段円柱状を形成し、ヘッド２１は小さい径の第１端２１１と、大きい径の第２端２１２と、を有する。ヘッド２１の第１端２１１は電気コネクタ２３を形成し、ヘッド２１の第２端２１２は収容ヘッド部２４を形成する。ヘッド２１の内部に収容空間２４１を形成して、開口部は収容ヘッド部２４（図５）向きに開けられ、ヘッド２１は第１接続端２５を設けられ、第１接続端２５と電気コネクタ２３との間は電気コードによって接続し導通されている。第１接続端２５は収容空間２４１（図５）の内部に引き込み、または収容ヘッド部２４から露出することができる。収容ヘッド部２４は第１直径Ｄ１を有し、収容ヘッド部２４は電気コネクタ２３の付近部に第１固定部２６を設けられている。取付リング２２はヘッド２１の外部に繞設され、取付リング２２は移動及び回転自在にて第１端２１１を介して電気コネクタ２３に装着され、取付リング２２は中空リング状を形成され、取付リング２２は階段状の貫通穴２７を内設され、取付リング２２は小さい径の第１端２２１と、大きい径の第２端２２２と、を有する。第１端２２１に第２固定２８を形成し、第２端２２２に第１接続部２９を形成する。貫通穴２７は移動自在にて電気コネクタ２３の一端を貫き、貫通穴２７は第２直径Ｄ２を有する。第２直径Ｄ２が第１直径Ｄ１より小さく、第２固定部２８を第１固定部２６に当てる。
【００１６】
光源モジュール３０はＬＥＤ灯光源を使用し光線を出射する。光源モジュール３０はベース３１と、発光コンポーネント３２と、マスク３３と、を有する。ベース３１はシート状を形成し、ベース３１の中心部に貫通穴３４を貫き、ベース３１の縁部に６つの第１接続穴３１１と、２つの第２接続穴３１２を貫く。ベース３１の一側は中空円柱状の第２接続部３５を設けられ、貫通穴３４は第２接続部３５の中心部に位置する。第２接続部３５は第３直径Ｄ３を設けられ、第１直径Ｄ１は第３直径Ｄ３より小さく、ベース３１は第２接続部３５にて収容溝３６を形成し、第２接続部３５は締め付け方式により第１接続部２９に接続することによって、光源モジュール３０と連結装置２０とを連結されている。収容溝３６の内部に収容ヘッド部２４に収容され、発光コンポーネント３２は６つの第３接続穴３２１を有し、マスク３３は２つの第４接続穴３３１を有する。前述６つの第３接続穴３２１は前述ベース３１の６つの第１接続穴３１１対応していて、第１接続穴３１１と第３接続穴３２１との間は固定具９０により接続することによって、発光コンポーネント３２をベース３１が第２接続部３５の反対側に取り付ける。マスク３３に備える２つの第４接続穴３３１が前述ベース３１に備える２つの第２接続穴３１２に対応する。第２接続穴３１２と第４接続穴３３１との間は固定具９０によって接続され、マスク３３を発光コンポーネント３２が発光する一側に取り付ける。発光コンポーネント３２はベース３１の近端に第２接続端３７を設けられ、第２接続端３７はベース３１の貫通穴３４を貫いて連結装置２０のヘッド２１に備える第１接続端２５に接続して、光源モジュール３０と連結装置２０と電気導通を形成する。
【００１７】
図３と図４を参照する。照明装置１０を交換するときは、まず連結装置２０を用意し、連結装置２０の取付リング２２に備える貫通穴２７を連結装置２０ヘッド２１の電気コネクタ２３を設ける一端に嵌装して、取付リング２２をヘッド２１に嵌着させると共に、第１固定部２６を第２固定部２８（図５）に当てる。さらに、電気コネクタ２３は締め付け方式により、ランプホルダー９１内部の口金ねじ部９２に接続する。
【００１８】
図４ないし７を参照する。引き続き光源モジュール３０を用意し、光源モジュール３０ベース３１上の第２接続端３７と連結装置２０ヘッド２１の第１接続端２５と接続して、電気回路の導通を形成する。
【００１９】
図６から図８を参照する。連結装置２０ヘッド２１の収容ヘッド部２４を光源モジュール３０ベース３１の収容溝３６に収容して置き、光源モジュール３０の角度を調整した上、取付リング２２の第１接続部２９をベース３１の第２接続部３５に締めつけにより接続し、連結装置２０と光源モジュール３０とを接続することによって、照明装置１０の交換作業を完了する。
【００２０】
図８を参照する。光源モジュール３０は最大幅Ｗ１を有し、光源モジュール３０はマスク３３の反対側から連結装置２０の心軸までに厚さＴを有する。マスク９３の深さは口金ねじ部９２の心軸に対して深さＤを有し、光源モジュール３０の最大幅Ｗ１はランプシェード９３深さＤの２倍以上大きく、光源モジュール３０の最大幅Ｗ１はランプシェード９３の幅Ｗ２より小さく、光源モジュール３０の厚さＴはランプシェード９３の深さＤより小さい。よって、光源モジュール３０の最大幅Ｗ１も厚さＴより２倍以上大きい。ランプホルダー９１の内部に光源モジュール３０がランプホルダー９１にて回転し組み立てる充分なスペースがなくても、光源モジュール３０は他の方式でランプホルダー９１の内部に取り付けることができる。
【００２１】
ＬＥＤ光源に方向性の特性を有するため、ＬＥＤ灯具自体は光拡散されない現象がある。よって、使用のときは灯具を照射したい場所に当てる必要がある。しかし、ねじによる締め付け方式は便利だが、灯具の校正は難しい。これに対して、本考案の照明装置１０構造を適用すれば、校正困難の問題はない。取付リング２２をベース３１に締めつけられる前ば、光源モジュール３０の角度校正ができる。この種の校正作業はランプホルダー９１上に固定されたヘッド２１を移動または回す必要はない。
【００２２】
さらに、ＬＥＤ灯具の輝度を向上するにはＬＥＤ灯数を増設しなければなりません。しかし、この種の方法によれば、輝度が向上されると共にＬＥＤ灯具を取り付けるときの困難性も高くなる。公知のＬＥＤ灯具を取り付けるときは、ＬＥＤ灯具のコンポーネント全体を回転しなければ、灯具をランプホルダー９１に取り付けることはできない。しかし、輝度向上にＬＥＤ灯の数を増設すると、ＬＥＤ灯具の体積も増える。ランプホルダー９１内部のスペースが限られているため、ＬＥＤ灯の増設可能数も限られている。さらに、ＬＥＤ灯具の輝度を有効に向上するため、ＬＥＤ灯を増設するときはフラット方式にする必要があり、ＬＥＤ灯を増設可能なスペースがさらに制限を受ける。これに対して、本考案の照明装置１０を取り付けるときに光源モジュール３０全体を回転必要はなく、まず連結装置２０のヘッド２１をランプホルダー９１に取り付けてから光源モジュール３０を直接に組み立てられる。よって、取り付けるときはランプホルダー９１または光源モジュール３０の形状制限を受けることなく、ランプホルダー９１の内部に光源モジュール３０の収容に充分なスペースがあれば良い。
【００２３】
さらに、光源モジュール３０と連結装置２０との間の電気導通方式は組立式に設計しており、連結装置２０を取り付けるとき、光源モジュール３０と連結装置２０とは接続しておらず、電気導通するためのコード絡めの心配はない。電気導通の作業は連結装置２０のヘッド２１を取り付け完了した後に、雌形と雄形素子を連結する作業が行われる。光源モジュール３０の第２接続端３７と連結装置２０の第１接続端２５とを連結して、電気導通を形成する。
【００２４】
さらに、取付リング２２を緩めば、光源モジュール３０を連結装置２０より抜け出すことができる。光源モジュール３０への直接タッチを避けて、直接に光源モジュール３０を取り外して交換できる。仮に、光源モジュール３０が使用の高熱により壊れたときに、断熱性の補助工具を新たに用意するか、または光源モジュール３０の温度を冷めてから交換の必要はなく、素手で光源モジュール３０の交換作業ができる。
【符号の説明】
【００２５】
１０        照明装置
２０        連結装置
２１        ヘッド
２１１      第１端
２１２      第２端
２２        取付リング
２２１      第１端
２２２      第２端
２３        電源コネクタ
２４      収容ヘッド部
２４１      収容空間
２５      第１接続端
２６      第１固定部
２７      貫通穴
２８      第２固定部
２９      第１接続部
３０      光源モジュール
３１      ベース
３１１    第１接続穴
３１２    第２接続穴
３２      発光コンポーネント
３２１    第３接続穴
３３      マスク
３３１    第４接続穴
３４      貫通穴
３５      第２接続部
３６      収容溝
３７      第２接続端
９０      固定具
９１      ランプホルダー
９２      口金ねじ部
９３      ランプシェード
Ｄ１      第１直径
Ｄ２      第２直径
Ｄ３      第３直径
Ｗ１      最大幅
Ｗ２      幅
Ｔ        厚さ
Ｄ        深さ
【図１】
0003177908.tif 000003
【図２】
0003177908.tif 000004
【図３】
0003177908.tif 000005
【図４】
0003177908.tif 000006
【図５】
0003177908.tif 000007
【図６】
0003177908.tif 000008
【図７】
0003177908.tif 000009
【図８】
0003177908.tif 000010